(57)【要約】【課題】高速移動フェージング下でも伝送信号の品質低下を防止する。【解決手段】無線通信装置３０において、品質検出部３２は、各チャネルの通信品質を検出する。そして、切替制御部３３は、品質検出部３２で検出された通信品質が所定レベル以下に低下した品質劣化チャネルの設定変調多値数、及び、品質劣化チャネルに周波数軸方向で隣接する２つの隣接チャネルのうち少なくとも一方の設定変調多値数を低下させる「切替制御」を実行する。【選択図】図３
2016052001.tif 000002
【特許請求の範囲】
【請求項１】
複数のチャネルによって送信側の無線通信装置との間で各チャネルの設定変調多値数の変調方式を用いて通信可能な受信側の無線通信装置であって、
各チャネルの通信品質を検出する検出部と、
前記検出した通信品質が所定レベル以下に低下した第１のチャネルの設定変調多値数、及び、前記第１のチャネルに周波数軸方向で隣接する２つの隣接チャネルのうち少なくとも一方の設定変調多値数を低下させる制御部と、
を具備することを特徴とする無線通信装置。
【請求項２】
前記第１のチャネルにおいて発生したノッチの周波数位置の移動方向を算出する算出部をさらに具備し、
前記制御部は、前記算出した移動方向に在る第１の隣接チャネルの設定変調多値数を低下させる、
ことを特徴とする請求項１に記載の無線通信装置。
【請求項３】
前記第１のチャネルにおいて発生したノッチの周波数位置の移動方向及び移動速さを算出する算出部をさらに具備し、
前記制御部は、前記算出した移動速さが閾値未満の場合、前記算出した移動方向に在る第１の隣接チャネルの設定変調多値数を低下させ、前記算出した移動速さが前記閾値以上の場合、前記第１の隣接チャネルの設定変調多値数、及び、前記算出した移動方向に在る、前記第１の隣接チャネルの隣のチャネルの設定変調多値数を低下させる、
ことを特徴とする請求項１に記載の無線通信装置。
【請求項４】
前記制御部は、前記第１の隣接チャネルの設定変調多値数を第１の値に低下させ、前記第１の隣接チャネルの隣のチャネルの設定変調多値数を前記第１の値よりも大きい第２の値に低下させる、
ことを特徴とする請求項３に記載の無線通信装置。
【請求項５】
複数のチャネルによって送信側の無線通信装置との間で各チャネルの設定変調多値数の変調方式を用いて通信可能な受信側の無線通信装置による、変調方式の切替方法であって、
各チャネルの通信品質を検出し、
前記検出した通信品質が所定レベル以下に低下した第１のチャネルの設定変調多値数、及び、前記第１のチャネルに周波数軸方向で隣接する２つの隣接チャネルのうち少なくとも一方の設定変調多値数を低下させる、
ことを特徴とする切替方法。
【請求項６】
送信側の第１の無線通信装置と、複数のチャネルによって前記第１の無線通信装置との間で各チャネルの設定変調多値数の変調方式を用いて通信可能な受信側の第２の無線通信装置とを有する無線通信システムであって、
前記第２の無線通信装置は、
各チャネルの通信品質を検出する検出部と、
前記検出した通信品質が所定レベル以下に低下した第１のチャネルの設定変調多値数、及び、前記第１のチャネルに周波数軸方向で隣接する２つの隣接チャネルのうち少なくとも一方の設定変調多値数を低下させる制御部と、
を具備する、
ことを特徴とする無線通信システム。
【発明の詳細な説明】
【技術分野】
【０００１】
本発明は、無線通信装置、切替方法、及び無線通信システムに関する。
【背景技術】
【０００２】
従来、送信側の無線通信装置と受信側の無線通信装置との間で「適応変調」を用いた通信が行われている。すなわち、通信に適用される設定変調多値数が、通信品質に応じて切り替えられる。これにより、通信スループットを向上させることができる。
【０００３】
また、送信側の無線通信装置と受信側の無線通信装置との間で、複数のチャネル（例えば、周波数帯）を用いて通信を行うことがある。そして、各チャネルに対して独立した適応変調が行われている。
【先行技術文献】
【特許文献】
【０００４】
【特許文献１】特開２０１１−００４１１８号公報
【特許文献２】特開２０００−１５１４８２号公報
【発明の概要】
【発明が解決しようとする課題】
【０００５】
しかしながら、周波数選択性フェージングの発生周波数位置がチャネルを跨いで高速で移動する場合、各チャネルに対して独立して適応変調を行ったのではその発生周波数位置の移動に追従できない可能性がある。この結果、誤り率が高くなり、伝送信号の品質低下を招く可能性がある。
【０００６】
開示の技術は、上記に鑑みてなされたものであって、高速移動フェージング下でも伝送信号の品質低下を防止できる、無線通信装置、切替方法、及び無線通信システムを提供することを目的とする。
【課題を解決するための手段】
【０００７】
開示の態様では、受信側の無線通信装置は、複数のチャネルによって送信側の無線通信装置との間で各チャネルの設定変調多値数の変調方式を用いて通信可能である。また、受信側の無線通信装置は、検出部と、制御部とを有する。前記検出部は、各チャネルの通信品質を検出する。前記制御部は、前記検出した通信品質が所定レベル以下に低下した第１のチャネルの設定変調多値数、及び、前記第１のチャネルに周波数軸方向で隣接する２つの隣接チャネルのうち少なくとも一方の設定変調多値数を低下させる。
【発明の効果】
【０００８】
開示の態様によれば、高速移動フェージング下でも伝送信号の品質低下を防止できる。
【図面の簡単な説明】
【０００９】
【図１】図１は、実施例１の無線通信システムの一例を示す図である。
【図２】図２は、実施例１の送信側の無線通信装置の一例を示すブロック図である。
【図３】図３は、実施例１の受信側の無線通信装置の一例を示すブロック図である。
【図４】図４は、実施例１の品質検出部の一例を示すブロック図である。
【図５】図５は、実施例１の受信側の無線通信装置の処理動作の一例を示すフローチャートである。
【図６】図６は、実施例２の受信側の無線通信装置の一例を示すブロック図である。
【図７】図７は、実施例２の算出部の一例を示すブロック図である。
【図８】図８は、実施例２の受信側の無線通信装置の処理動作の一例を示すフローチャートである。
【図９】図９は、実施例３の受信側の無線通信装置の一例を示すブロック図である。
【図１０】図１０は、実施例３の算出部の一例を示すブロック図である。
【図１１】図１１は、実施例３の受信側の無線通信装置の処理動作の一例を示すフローチャートである。
【図１２】図１２は、無線通信装置のハードウェア構成例を示す図である。
【発明を実施するための形態】
【００１０】
以下に、本願の開示する無線通信装置、切替方法、及び無線通信システムの実施形態を図面に基づいて詳細に説明する。なお、この実施形態により本願の開示する無線通信装置、切替方法、及び無線通信システムが限定されるものではない。また、実施形態において同一の機能を有する構成には同一の符号を付し、重複する説明は省略される。また、実施形態において同等の処理ステップには同一の符号を付し、重複する説明は省略される。
【００１１】
［実施例１］
［無線通信システムの概要］
図１は、実施例１の無線通信システムの一例を示す図である。図１において、無線通信システム１は、無線通信装置１０と無線通信装置３０とを有する。無線通信装置１０は、データ信号を送信する送信側の無線通信装置であり、無線通信装置３０は、無線通信装置１０から送信されたデータ信号を受信する受信側の無線通信装置である。無線通信装置１０及び無線通信装置３０は、例えば、基幹系の装置（つまり、基地局装置又は中継局装置）である。無線通信装置１０と無線通信装置３０とは、複数のチャネル（例えば、周波数帯）によって通信可能であり、各チャネルの設定変調多値数の変調方式を用いて通信を行う。
【００１２】
無線通信装置３０は、各チャネルの通信品質を検出する。そして、無線通信装置３０は、検出した各チャネルの通信品質に基づいて「切替制御」を行う。例えば、「切替制御」では、無線通信装置３０は、検出した通信品質が所定レベル以下に低下したチャネル（以下では、「品質劣化チャネル」と呼ぶことがある）の設定変調多値数を低下させる。さらに、「切替制御」では、無線通信装置３０は、品質劣化チャネルに周波数方向で隣接する２つの隣接チャネルのうち少なくとも一方の変調多値数を低下させる。すなわち、２つの隣接チャネルの両方の変調多値数を低下させてもよいし、一方の変調多値数を低下させてもよい。
【００１３】
例えば、無線通信装置３０は、変調多値数を低下させる切替対象チャネルの識別情報、低下後の変調多値数を示す情報、及び、切替タイミングを示す情報（例えば、切替開始フレームを示す情報）を含む「切替制御信号」を生成する。そして、無線通信装置３０は、生成した切替制御信号を自装置の復調部へ渡すとともに、無線通信装置１０へ送信する。
【００１４】
そして、無線通信装置１０は、無線通信装置３０から送信された切替制御信号の示す切替タイミングに、切替制御信号の示すチャネルの変調方式を切替信号の示す変調多値数の変調方式に切り替える。なお、同じタイミングで、無線通信装置３０の復調部でも同じチャネルについて変調方式の切替が行われる。
【００１５】
以上のように、無線通信装置３０が実際に通信品質が所定レベル以下に劣化した品質劣化チャネルだけでなく、品質劣化チャネルの隣接チャネルの設定変調多値数を低下させる切替制御を行う。これにより、周波数選択性フェージングの発生周波数位置が高速移動する場合でもその移動に適応変調を追従させることができる。すなわち、高速移動フェージング下でも伝送信号の品質低下を防止できる。
【００１６】
［送信側の無線通信装置の構成例］
図２は、実施例１の送信側の無線通信装置の一例を示すブロック図である。図２において、無線通信装置１０は、送信部１１−１〜７と、ＰＮ（Pseudo  random  Noise）パターン信号出力部１２と、受信部１３とを有する。なお、ここではチャネルの数を７個としているので、送信部１１の数は７個としているが、数はこれに限定されない。
【００１７】
送信部１１−１〜７は、チャネル１〜７にそれぞれ対応している。また、各送信部１１は、符号化部１６及び変調部１７を含む送信処理部１５と、無線送信部１８とを有する。
【００１８】
送信処理部１５は、入力された送信データ又はＰＮパターン信号に対して所定の送信処理を施して、得られた信号を無線送信部１８へ出力する。所定の送信処理には、符号化部１６による符号化処理、及び、変調部１７による変調処理が含まれる。変調部１７は、無線通信装置３０から送信された「切替制御信号」に基づいて、変調方式（つまり、設定変調多値数）を切り替える。ここで、ＰＮパターン信号は、既知のパターン信号である。
【００１９】
無線送信部１８は、送信処理部１５から出力された信号に対して所定の無線送信処理（例えば、デジタルアナログ変換、アップコンバート等）を施して、得られた無線信号を、アンテナを介して送信する。
【００２０】
受信部１３は、無線受信部１９と、受信処理部２０と、抽出部２１とを有する。
【００２１】
無線受信部１９は、アンテナを介して受信した信号に対して所定の無線受信処理（ダウンコンバート、アナログデジタル変換等）を施し、得られた信号を受信処理部２０へ出力する。
【００２２】
受信処理部２０は、無線受信部１９から受け取る信号に対して所定の受信処理（復調及び復号等）を施し、得られた受信データを抽出部２１へ出力する。
【００２３】
抽出部２１は、受信処理部２０から受け取る受信データから、上記の「切替制御信号」を抽出する。そして、抽出部２１は、抽出した切替制御信号を、当該切替制御信号の示す切替対象チャネルに対応する送信部１１の変調部１７へ出力する。これにより、切替制御信号を受け取った変調部１７は、切替制御信号の示す切替タイミングで変調方式を切り替えることができる。
【００２４】
［受信側の無線通信装置の構成例］
図３は、実施例１の受信側の無線通信装置の一例を示すブロック図である。図３において、無線通信装置３０は、受信部３１−１〜７と、品質検出部３２と、切替制御部３３と、送信部３４とを有する。なお、ここではチャネルの数を７個としているので、受信部３１の数は７個としているが、数はこれに限定されない。
【００２５】
受信部３１−１〜７は、チャネル１〜７にそれぞれ対応している。また、各受信部３１は、無線受信部３５と、復調部３７、等化部３８、及び復号部３９を含む受信処理部３６とを有する。
【００２６】
無線受信部３５は、アンテナを介して受信した信号に対して所定の無線受信処理（ダウンコンバート、アナログデジタル変換等）を施し、得られた信号を受信処理部３６へ出力する。
【００２７】
受信処理部３６は、無線受信部３５から受け取る信号に対して所定の受信処理を施して、受信データを得る。所定の受信処理には、復調部３７による復調処理、等化部３８による等化処理、及び、復号部３９による復号処理が含まれる。復調部３７は、切替制御部３３から出力された「切替制御信号」に基づいて、復調方式（つまり、設定変調多値数）を切り替える。また、等化部３８は、例えば、トランスバーサル等化器（ＴＲＶ：Transversal  equalizer）である。
【００２８】
品質検出部３２は、受信処理部３６で得られた受信データに含まれ且つ上記のＰＮパターン信号に対応する信号成分（以下では、「受信ＰＮパターン信号」と呼ぶことがある）と、ＰＮパターン信号のレプリカ信号とに基づいて、チャネルの通信品質を検出する。通信品質の検出は、チャネル毎に行われる。ＰＮパターン信号のレプリカ信号は、品質検出部３２で予め保持されている。
【００２９】
例えば、品質検出部３２は、図４に示すように、抽出部４５と、ビット誤り検出部４６と、品質算出部４７とを有する。図４は、実施例１の品質検出部の一例を示すブロック図である。
【００３０】
抽出部４５は、受信処理部３６で得られた受信データから、受信ＰＮパターン信号を抽出し、ビット誤り検出部４６へ出力する。
【００３１】
ビット誤り検出部４６は、抽出部４５から受け取った受信ＰＮパターン信号と、ＰＮパターン信号のレプリカ信号とを比較し、受信エラー（つまり、ビット誤り）を検出する。
【００３２】
品質算出部４７は、各チャネルについて判定期間毎に受信エラーの数をカウントする。そして、品質算出部４７は、判定期間において受信エラーの数が判定閾値を超えたチャネル（つまり、品質劣化チャネル）を検出し、検出した品質劣化チャネルの識別情報を切替制御部３３へ出力する。
【００３３】
図３の説明に戻り、切替制御部３３は、品質算出部４７から受け取った識別情報の示す品質劣化チャネルと、品質劣化チャネルに周波数方向で隣接する２つの隣接チャネルのうち少なくとも一方とを、切替対象チャネルとして決定する。そして、切替制御部３３は、切替対象チャネルの識別情報、低下後の変調多値数を示す情報、及び、切替タイミングを示す情報を含む「切替制御信号」を生成する。そして、切替制御部３３は、生成した切替制御信号を復調部３７及び送信部３４へ出力する。ここで、切替対象である、品質劣化チャネル及び隣接チャネルの設定変調多値数は、同じにしてもよいし、異ならせてもよい。異ならせる場合、切替対象である品質劣化チャネルの設定変調多値数を第１の値に低下させ、隣接チャネルの設定変調多値数を第１の値よりも大きい第２の値に低下させてもよい。
【００３４】
送信部３４は、送信処理部４０と、無線送信部４１とを有する。
【００３５】
送信処理部４０は、切替制御部３３から受け取った切替制御信号に対して所定の送信処理（符号化及び変調等）を施して、得られた送信信号を無線送信部４１へ出力する。
【００３６】
無線送信部４１は、送信処理部４０から出力された送信信号に対して所定の無線送信処理（例えば、デジタルアナログ変換、アップコンバート等）を施して、得られた無線信号を、アンテナを介して送信する。
【００３７】
［無線通信システムの動作例］
以上の構成を有する無線通信システム１の処理動作の一例について説明する。特に、ここでは、無線通信装置３０の品質検出部３２及び切替制御部３３の処理動作の一例について説明する。図５は、実施例１の受信側の無線通信装置の処理動作の一例を示すフローチャートである。なお、図５に示すフローチャートは、上記の判定期間毎に実行される。
【００３８】
品質検出部３２は、各チャネルに対応する受信処理部３６から受け取った信号に基づいて、各チャネルの通信品質を検出する（ステップＳ１０１）。
【００３９】
品質検出部３２は、検出した各チャネルの通信品質に基づいて、品質劣化チャネルが存在するか否かを判定する（ステップＳ１０２）。すなわち、品質検出部３２は、検出したチャネルの通信品質が所定レベル以下に低下したチャネルが存在するか否かを判定する。
【００４０】
品質劣化チャネルが存在する場合（ステップＳ１０２肯定）、切替制御部３３は、切替対象チャネルを決定する（ステップＳ１０３）。すなわち、切替制御部３３は、品質劣化チャネルと、品質劣化チャネルに周波数方向で隣接する２つの隣接チャネルのうち少なくとも一方とを、切替対象チャネルとして決定する。
【００４１】
切替制御部３３は、切替対象チャネルの切替後の変調多値数を決定し（ステップＳ１０４）、切替タイミングを決定する（ステップＳ１０５）。
【００４２】
切替制御部３３は、ステップＳ１０３〜Ｓ１０５で決定した情報を含む切替制御信号を生成する（ステップＳ１０６）。
【００４３】
切替制御部３３は、生成した切替制御信号を復調部３７及び送信部３４へ出力する（ステップＳ１０７）。
【００４４】
以上のように本実施例によれば、無線通信装置３０において、品質検出部３２は、各チャネルの通信品質を検出する。そして、切替制御部３３は、品質検出部３２で検出された通信品質が所定レベル以下に低下した品質劣化チャネルの設定変調多値数、及び、品質劣化チャネルに周波数軸方向で隣接する２つの隣接チャネルのうち少なくとも一方の設定変調多値数を低下させる「切替制御」を実行する。
【００４５】
この無線通信装置３０の構成により、実際に通信品質が所定レベル以下に劣化した品質劣化チャネルだけでなく、品質劣化チャネルの隣接チャネルの設定変調多値数を低下させるので、周波数選択性フェージングの発生周波数位置が高速移動する場合でもその移動に適応変調を追従させることができる。すなわち、高速移動フェージング下でも伝送信号の品質低下を防止できる。
【００４６】
［実施例２］
実施例２では、品質劣化チャネルに発生するノッチの位置の移動方向を算出し、算出した移動方向に存在する隣接チャネルの変調多値数を低下させる。実施例２では、受信側の無線通信装置を無線通信装置１３０として説明する。
【００４７】
［受信側の無線通信装置の構成例］
図６は、実施例２の受信側の無線通信装置の一例を示すブロック図である。図６において、無線通信装置１３０は、算出部１３１と、切替制御部１３２とを有する。
【００４８】
算出部１３１は、各チャネルにおいてノッチの周波数位置の移動方向を算出する。そして、算出部１３１は、各チャネルについて算出した移動方向を切替制御部１３２へ出力する。
【００４９】
例えば、算出部１３１は、算出タイミング（算出期間）毎に、各チャネルに対応する受信部３１の等化部３８から「タップ係数群」を取得する。そして、算出部１３１は、各チャネルについて、「タップ係数群」に基づいて、ノッチの発生周波数位置を算出（特定）する。そして、算出部１３１は、各チャネルについて、前回の算出タイミングで算出したノッチの発生周波数位置と、今回の算出タイミングで算出したノッチの発生周波数位置とによって、ノッチの周波数位置の移動方向を算出（特定）する。
【００５０】
詳細には、算出部１３１は、図７に示すように、ノッチ位置算出部１４１−１〜７と、算出処理部１４２−１〜７とを有する。また、各ノッチ位置算出部１４１は、フーリエ変換部１４５−１〜Ｎと、合成部１４６と、ピーク位置特定部１４７とを有する。図７は、実施例２の算出部の一例を示すブロック図である。
【００５１】
ノッチ位置算出部１４１−１〜７は、チャネル１〜７にそれぞれ対応している。例えば、ノッチ位置算出部１４１−１において、フーリエ変換部１４５−１〜Ｎは、チャネル１の受信部３１−１の等化部３８のタップ係数１〜Ｎにそれぞれ対応する。そして、各フーリエ変換部１４５は、算出タイミングにおいて取得したタップ係数の値の時間変動をフーリエ変換し、得られた結果を合成部１４６へ出力する。そして、合成部１４６は、フーリエ変換部１４５−１〜Ｎのそれぞれで得られた結果を合成（加算）し、得られた結果をピーク位置特定部１４７へ出力する。ピーク位置特定部１４７は、合成部１４６から受け取った合成結果においてピークの現れる周波数位置を特定（算出）する。
【００５２】
ここで、等化部３８のタップ係数群をフーリエ変換することにより、等化部３８のフィルタ特性を算出することができる。ノッチが発生している場合、等化部３８のフィルタ特性は、そのノッチを補うためにノッチの発生周波数位置にピークが現れる。従って、フィルタ特性のピークの周波数位置を特定することにより、ノッチの発生周波数位置を特定することができる。
【００５３】
算出処理部１４２−１〜７は、チャネル１〜７にそれぞれ対応している。例えば、算出処理部１４２−１は、ノッチ位置算出部１４１−１が前回の算出タイミングで算出したノッチの発生周波数位置と、今回の算出タイミングで算出したノッチの発生周波数位置とによって、ノッチの周波数位置の移動方向を算出（特定）する。
【００５４】
図６の説明に戻り、切替制御部１３２は、実施例１の切替制御部３３と同様に、品質算出部４７から受け取った識別情報の示す品質劣化チャネルをまず切替対象チャネルとして決定する。また、切替制御部１３２は、品質劣化チャネルに対応する算出処理部１４２で算出された移動方向に在る、品質劣化チャネルの隣接チャネルを切替対象チャネルとして決定する。そして、切替制御部１３２は、切替対象チャネルの識別情報、低下後の変調多値数を示す情報、及び、切替タイミングを示す情報を含む「切替制御信号」を生成する。そして、切替制御部１３２は、生成した切替制御信号を復調部３７及び送信部３４へ出力する。ここで、切替対象である、品質劣化チャネル及び隣接チャネルの設定変調多値数は、同じにしてもよいし、異ならせてもよい。異ならせる場合、切替対象である品質劣化チャネルの設定変調多値数を第１の値に低下させ、隣接チャネルの設定変調多値数を第１の値よりも大きい第２の値に低下させてもよい。
【００５５】
［受信側の無線通信装置の動作例］
以上の構成を有する無線通信装置１３０の処理動作の一例について説明する。特に、ここでは、無線通信装置１３０の切替制御部１３２の処理動作の一例について説明する。図８は、実施例２の受信側の無線通信装置の処理動作の一例を示すフローチャートである。なお、図８に示すフローチャートは、上記の判定期間毎に実行される。
【００５６】
品質劣化チャネルが存在する場合（ステップＳ１０２肯定）、切替制御部１３２は、品質劣化チャネルに対応する算出処理部１４２で算出された移動方向に関する情報を取得する（ステップＳ２０１）。
【００５７】
切替制御部１３２は、切替対象チャネルを決定する（ステップＳ２０２）。すなわち、切替制御部１３２は、品質劣化チャネルをまず切替対象チャネルとして決定する。さらに、切替制御部１３２は、ステップＳ２０１で取得した情報の示す移動方向に在る、品質劣化チャネルの隣接チャネルを切替対象チャネルとして決定する。
【００５８】
以上のように本実施例によれば、切替制御部１３２は、品質劣化チャネルの変調多値数、及び、算出部１３１で算出した品質劣化チャネルにおいて発生したノッチの周波数位置の移動方向に在る、品質劣化チャネルの隣接チャネルの変調多値数を低下させる「切替制御」を実行する。
【００５９】
この無線通信装置１３０の構成により、実際に通信品質が所定レベル以下に劣化した品質劣化チャネルだけでなく、周波数選択性フェージングの発生周波数位置の移動方向に在る、品質劣化チャネルの隣接チャネルの設定変調多値数を低下させることができる。これにより、周波数選択性フェージングの発生周波数位置が高速移動する場合でもその移動に適応変調をさらに精度よく追従させることができる。すなわち、高速移動フェージング下でも伝送信号の品質低下を防止できる。
【００６０】
［実施例３］
実施例３では、実施例２と同様に、品質劣化チャネルに発生するノッチの位置の移動方向を算出し、算出した移動方向に存在する隣接チャネルの変調多値数を低下させる。実施例３では、さらに、品質劣化チャネルに発生するノッチの周波数位置の移動速さを算出し、算出した移動速さが閾値以上の場合、算出した移動方向に存在する隣接チャネル、及び、その隣接チャネルの隣の設定変調多値数を低下させる。すなわち、実施例３では、ノッチの周波数位置の移動速さに応じて、切替対象チャネルの数を変更する。実施例３では、受信側の無線通信装置を無線通信装置２３０として説明する。
【００６１】
［受信側の無線通信装置の構成例］
図９は、実施例３の受信側の無線通信装置の一例を示すブロック図である。図９において、無線通信装置２３０は、算出部２３１と、切替制御部２３２とを有する。
【００６２】
算出部２３１は、各チャネルにおいてノッチの周波数位置の移動方向及び移動速さを算出する。そして、算出部２３１は、各チャネルについて算出した移動方向及び移動速さを切替制御部２３２へ出力する。
【００６３】
例えば、算出部２３１は、算出タイミング（算出期間）毎に、各チャネルに対応する受信部３１の等化部３８から「タップ係数群」を取得する。そして、算出部２３１は、各チャネルについて、「タップ係数群」に基づいて、ノッチの発生周波数位置を算出（特定）する。そして、算出部２３１は、各チャネルについて、前回の算出タイミングで算出したノッチの発生周波数位置と、今回の算出タイミングで算出したノッチの発生周波数位置とによって、ノッチの周波数位置の移動方向及び移動速さを算出（特定）する。
【００６４】
詳細には、図１０に示すように、算出部２３１は、算出処理部２４１−１〜７を有する。図１０は、実施例３の算出部の一例を示すブロック図である。
【００６５】
算出処理部２４１−１〜７は、チャネル１〜７にそれぞれ対応している。例えば、算出処理部２４１−１は、ノッチ位置算出部１４１−１が前回の算出タイミングで算出したノッチの発生周波数位置と、今回の算出タイミングで算出したノッチの発生周波数位置とによって、ノッチの周波数位置の移動方向を算出（特定）する。また、算出処理部２４１−１は、ノッチ位置算出部１４１−１が前回の算出タイミングで算出したノッチの発生周波数位置と、今回の算出タイミングで算出したノッチの発生周波数位置との差分（つまり、移動距離）を算出する。そして、算出処理部２４１−１は、算出した移動距離を、前回の算出タイミングと今回の算出タイミングとの時間差で除算することにより、移動速さを算出する。
【００６６】
図９の説明に戻り、切替制御部２３２は、移動速さが閾値未満の場合、実施例２の切替制御部１３２と同様の「切替制御」を実行する。すなわち、切替制御部２３２は、品質劣化チャネルの変調多値数、及び、算出部２３１で算出した品質劣化チャネルにおいて発生したノッチの周波数位置の移動方向に在る、品質劣化チャネルの隣接チャネルの変調多値数を低下させる「切替制御」を実行する。
【００６７】
一方、移動速さが閾値以上の場合、切替制御部２３２は、さらに、その隣接チャネルの隣のチャネルの設定変調多値数を低下させる。ここで、切替対象である、隣接チャネル及びその隣接チャネルの隣のチャネルの設定変調多値数は、同じにしてもよいし、異ならせてもよい。異ならせる場合、切替対象である隣接チャネルの設定変調多値数を第２の値に低下させ、その隣接チャネルの隣のチャネルの設定変調多値数を第２の値よりも大きい第３の値に低下させてもよい。すなわち、品質劣化チャネルに周波数軸方向で近いチャネルほど設定変調多値数を小さくしてもよい。
【００６８】
［受信側の無線通信装置の動作例］
以上の構成を有する無線通信装置２３０の処理動作の一例について説明する。特に、ここでは、無線通信装置２３０の切替制御部２３２の処理動作の一例について説明する。図１１は、実施例３の受信側の無線通信装置の処理動作の一例を示すフローチャートである。なお、図１１に示すフローチャートは、上記の判定期間毎に実行される。
【００６９】
品質劣化チャネルが存在する場合（ステップＳ１０２肯定）、切替制御部２３２は、品質劣化チャネルに対応する算出処理部２４１で算出された移動方向及び移動速さに関する情報を取得する（ステップＳ３０１）。
【００７０】
切替制御部２３２は、取得した情報の示す移動速さが閾値以上であるか否かを判定する（ステップＳ３０２）。
【００７１】
移動速さが閾値以上である場合（ステップＳ３０２肯定）、切替制御部２３２は、切替対象チャネルを決定する（ステップＳ３０３）。すなわち、切替制御部２３２は、品質劣化チャネル、算出部２３１で算出した品質劣化チャネルにおいて発生したノッチの周波数位置の移動方向に在る隣接チャネル、及び、その隣接チャネルの隣のチャネルを、切替対象チャネルとして決定する。
【００７２】
切替制御部２３２は、切替対象チャネルの切替後の変調多値数を決定する（ステップＳ３０４）。例えば、切替制御部２３２は、品質劣化チャネルの設定変調多値数を第１の値に低下させ、隣接チャネルの設定変調多値数を第１の値より大きい第２の値に低下させ、その隣接チャネルの隣のチャネルの設定変調多値数を第２の値よりも大きい第３の値に低下させてもよい。なお、移動速さが閾値未満である場合（ステップＳ３０２否定）、切替制御部２３２は、ステップＳ２０２及びステップＳ１０４の処理ステップを実行する。
【００７３】
以上のように本実施例によれば、無線通信装置２３０において、切替制御部２３２は、品質劣化チャネルにおいて発生したノッチの周波数位置の移動速さが閾値以上の場合、品質劣化チャネル、算出部２３１で算出した品質劣化チャネルにおいて発生したノッチの周波数位置の移動方向に在る隣接チャネル、及び、その隣接チャネルの隣のチャネルを、切替対象チャネルとする。
【００７４】
この無線通信装置２３０の構成により、ノッチの周波数位置の移動速さが速い場合には品質劣化チャネル及び隣接チャネルだけでなく、隣接チャネルの隣のチャネルの設定変調多値数を低下させることができる。これにより、周波数選択性フェージングの発生周波数位置が高速移動する場合でもその移動に適応変調をさらに精度よく追従させることができる。すなわち、高速移動フェージング下でも伝送信号の品質低下を防止できる。
【００７５】
また、切替制御部２３２は、隣接チャネルの設定変調多値数を第２の値に低下させ、その隣接チャネルの隣のチャネルの設定変調多値数を第２の値よりも大きい第３の値に低下させる。
【００７６】
この無線通信装置２３０の構成により、品質劣化チャネルから遠くなるに従って設定変調多値数の低下量を小さくできる。すなわち、周波数選択性フェージングが発生するまでに猶予のあるチャネルの設定変調多値数を過度に低下させることを防止できる。
【００７７】
［他の実施例］
［１］実施例１から実施例３では、チャネルの通信品質をＰＮパターン信号に基づいて検出しているが、これに限定されるものではない。例えば、送信側の無線通信装置から送信された信号を受信側の無線通信装置が受信したときの受信信号点のコンスタレーション上における分布等によって、チャネルの通信品質を検出してもよい。
【００７８】
［２］実施例１から実施例３で図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００７９】
さらに、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしてもよい。
【００８０】
実施例１から実施例３の無線通信装置は、例えば、次のようなハードウェア構成により実現することができる。
【００８１】
図１２は、無線通信装置のハードウェア構成例を示す図である。図１２に示すように、無線通信装置３００は、ＲＦ（Radio  Frequency）回路３０１と、プロセッサ３０２と、メモリ３０３とを有する。プロセッサ３０２の一例としては、ＣＰＵ、ＤＳＰ（Digital  Signal  Processor）、ＦＰＧＡ（Field  Programmable  Gate  Array）等が挙げられる。また、メモリ３０３の一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。実施例１から実施例３の無線通信装置１０，３０，１３０，２３０のそれぞれが、図１２に示す構成を有している。
【００８２】
そして、実施例１から実施例３の無線通信装置で行われる各種処理機能は、不揮発性記憶媒体などの各種メモリに格納されたプログラムをプロセッサで実行することによって実現してもよい。すなわち、ＰＮパターン信号出力部１２と、送信処理部１５と、受信処理部２０と、抽出部２１とによって実行される各処理に対応するプログラムがメモリ３０３に記録され、各プログラムがプロセッサ３０２で実行されてもよい。また、品質検出部３２と、切替制御部３３，１３２，２３２と、受信処理部３６と、送信処理部４０と、算出部１３１，２３１とによって実行される各処理に対応するプログラムがメモリ３０３に記録され、各プログラムがプロセッサ３０２で実行されてもよい。また、無線送信部１８及び無線受信部１９は、ＲＦ回路３０１によって実現される。また、無線受信部３５及び無線送信部４１は、ＲＦ回路３０１によって実現される。
【００８３】
なお、ここでは、実施例１から実施例３の無線通信装置で行われる各種処理機能がプロセッサ３０２によって実行されるものとしたが、これに限定されるものではなく、複数のプロセッサによって実行されてもよい。
【符号の説明】
【００８４】
１  無線通信システム
１０，３０，１３０，２３０  無線通信装置
１１，３４  送信部
１２  ＰＮパターン信号出力部
１３，３１  受信部
１５，４０  送信処理部
１６  符号化部
１７  変調部
１８，４１  無線送信部
１９，３５  無線受信部
２０，３６  受信処理部
２１，４５  抽出部
３２  品質検出部
３３，１３２，２３２  切替制御部
３７  復調部
３８  等化部
３９  復号部
４６  ビット誤り検出部
４７  品質算出部
１３１，２３１  算出部
１４１  ノッチ位置算出部
１４２，２４１  算出処理部
１４５  フーリエ変換部
１４６  合成部
１４７  ピーク位置特定部
【図１】
2016052001.tif 000003
【図２】
2016052001.tif 000004
【図３】
2016052001.tif 000005
【図４】
2016052001.tif 000006
【図５】
2016052001.tif 000007
【図６】
2016052001.tif 000008
【図７】
2016052001.tif 000009
【図８】
2016052001.tif 000010
【図９】
2016052001.tif 000011
【図１０】
2016052001.tif 000012
【図１１】
2016052001.tif 000013
【図１２】
2016052001.tif 000014